(57)【要約】閉止位置と上方開放位置との間で少なくとも１つの水平軸を中心に回動する家具の扉用の持ち上げシステムであって、家具の固定部分に接続可能な支持体と、支持体及び家具の扉に接続された関節式レバーシステムと、弾性的作動手段とを備える。レバーシステムは、回転軸を介して、支持体に回転可能に接続された一端を有する第１のレバーと、家具の扉に固定するための要素に回転可能に接続された一端を有する第２のレバーとを含む。第１のレバーと第２のレバーとは、それぞれの他端において互いに関節連結されている。弾性的作動手段は、レバーシステムに回転トルクを発生させるために、関節式レバーシステムに機能的に接続されている。弾性的初期開放手段を更に備え、当該弾性的初期開放手段は、関節式レバーシステムの第２のレバーに機能的に作用するように適合されている。
2019525040.tif 000002
【特許請求の範囲】
【請求項１】
閉止位置と上方開放位置との間で少なくとも１つの水平軸を中心に回動する家具の扉用の持ち上げシステム（１０）であって、
前記家具の固定部分に接続可能な支持体（１５）と、前記支持体及び前記家具の扉に接続された関節式レバーシステム（１６）と、弾性的作動手段（２４，２６）とを備え、前記レバーシステム（１６）は、回転軸（１８）を介して、前記支持体（１５）に回転可能に接続された一端を有する第１のレバー（１７）と、前記家具の前記扉に固定するための要素（２１）に回転可能に接続された一端を有する第２のレバー（１９）とを含み、前記第１のレバーと前記第２のレバーとは、それぞれの他端において互いに関節連結されており、前記弾性的作動手段（２４，２６）は、前記レバーシステム（１６）に回転トルクを発生させるために、前記関節式レバーシステム（１６）に機能的に接続されており、
弾性的初期開放手段（５０）を備え、前記弾性的初期開放手段（５０）は、前記関節式レバーシステム（１６）の前記第２のレバー（１９）に機能的に作用するように適合されていることを特徴とする、持ち上げシステム（１０）。
【請求項２】
前記弾性的初期開放手段（５０）は、ばね（５２）を収容するための本体（５１）を含み、前記ばねは、前記支持体（１５）に対して移動可能なスライダ（５５）に作用するように適合されている、請求項１に記載の持ち上げシステム（１０）。
【請求項３】
前記ばね（５０）の予荷重は、偏心手段（５３）によって調節可能である、請求項１又は２に記載の持ち上げシステム（１０）。
【請求項４】
カム手段（２３、２５）を含み、前記カム手段（２３、２５）は、関節式レバーシステム（１６）の前記レバー（１７、１９）の少なくとも１つに設けられる、請求項１から３のいずれか１項に記載の持ち上げシステム（１０）。
【請求項５】
前記カム手段（２３、２５）は、前記第２のレバー（１９）と一体のカム手段（２５）を含み、前記第２のレバーと一体の前記カム手段は、閉止位置において、前記扉に実質的に力を加えないように輪郭構成されている、請求項１から４のいずれか１項に記載の持ち上げシステム（１０）。
【請求項６】
前記第１の弾性手段（２４）は、前記家具の前記扉の閉止位置において、常に閉じる力を加えるように適合されている、請求項１から５のいずれか１項に記載の持ち上げシステム（１０）。
【発明の詳細な説明】
【技術分野】
【０００１】
本発明は、少なくとも１つの水平軸を中心に回動する家具の扉用の持ち上げシステムに関する。
【背景技術】
【０００２】
家具分野において、少なくとも１つの水平軸を中心に回動運動によって上方に開くことができる扉を有する家具の使用が知られている。そのような扉は、特に、複数のヒンジによって当該家具の固定本体に接続され、これらのヒンジは、扉がその回動運動を行うことを可能にするように輪郭構成される。
【発明の概要】
【発明が解決しようとする課題】
【０００３】
扉を持ち上げるために、持ち上げシステムが適合され、当該持ち上げシステムは、従来、家具の固定部分に接続可能な支持体と、支持体を扉に接続可能な固定要素に接続させる関節式レバーシステムと、弾性的作動手段とを備える。弾性的作動手段は、レバーシステムのレバーに機能的に接続されて、回転トルクを発生させ、扉を押して上方開放位置に向かう。
【０００４】
上向きに開き、取っ手を有さない扉を傾斜させるために、扉を閉止位置に保持するための固定装置が備えられ、当該装置は、使用者が閉じている扉を押すことによって解除することができる。一旦扉が解除されると、ユーザが扉を持って開放操作を完了させることを可能にするため、一般に、扉に初期解放運動を与えるための弾性手段が設けられる。このような解決策は、例えば、ドイツ実用新案２０２００６０００５３５Ｕ、及び欧州特許２３２１４８６に記載されている。
【課題を解決するための手段】
【０００５】
本発明の目標は、少なくとも１つの水平軸を中心に回動する家具の扉用の持ち上げシステムを提供することであって、弾性的「初期開放」システムを備えることによって、ユーザは容易に傾斜扉を開くことができる。
【０００６】
上記目標において、本発明の目的は、少なくとも１つの水平軸を中心に回動する家具の扉用の持ち上げシステムを提供することであって、当該扉は、取っ手を有しておらず、弾性的「初期開放」システムは、構造が簡単で、且つ最適化された操作を提供する。
【０００７】
本発明の他の目的は、少なくとも１つの水平軸を中心に回動する家具の扉用の持ち上げシステムを提供することであって、当該システムにおいて、弾性的「初期開放」システムの予荷重は調節可能である。
【０００８】
本発明の他の目的は、少なくとも１つの水平軸を中心に回動する家具の扉用の持ち上げシステムを提供することであって、当該持ち上げシステムは、信頼性が高く、容易に且つ実際に実施することができ、且つ低コストである。
【０００９】
この目標、並びに以下により明確になるこれらの目的及び他の目的は、閉止位置と上方開放位置との間で、少なくとも１つの水平軸を中心に回動する家具の扉用の持ち上げシステムによって達成される。当該持ち上げシステムは、
家具の固定部分に接続可能な支持体と、前記支持体及び家具の扉に接続された関節式レバーシステムと、弾性的作動手段とを備え、前記レバーシステムは、回転軸を介して、前記支持体に回転可能に接続された一端を有する第１のレバーと、前記家具の前記扉に固定するための要素に回転可能に接続された一端を有する第２のレバーとを含み、前記第１のレバーと前記第２のレバーとは、それぞれの他端において互いに関節連結されており、前記弾性的作動手段は、前記レバーシステムに回転トルクを発生させるために、前記関節式レバーシステムに機能的に接続されており、
弾性的初期開放手段を備え、前記弾性的初期開放手段は、前記関節式レバーシステムの前記第２のレバーに機能的に作用するように適合されていることを特徴とする。
【００１０】
本発明の更なる特徴及び利点は、本発明に係る持ち上げシステムの好ましいであるが、限定的ではない実施形態の説明からより明らかになるであろう。実施形態は、添付の図面を参照しながら非限定的な例として説明される。
【図面の簡単な説明】
【００１１】
【図１】扉が部分的に開いた状態にある、本発明に係る少なくとも１つの水平軸を中心に回動する家具の扉用の持ち上げシステムの断面図である。
【図２】扉が開いた状態にある、図１の持ち上げシステムの下から見た斜視図である。
【図３】図１の状態に対応する状態である、本発明に係る持ち上げシステムの下から見た他の斜視図である。
【図４】本発明に係る持ち上げシステムの下から見た平面図である。
【発明を実施するための形態】
【００１２】
図を参照すると、全体として参照符号１０で示す本発明に係る持ち上げシステムは、図示されていない家具の固定部分に接続することができる支持体１５を備えている。支持体１５は、関節式レバーシステム１６と弾性的作動手段とを有する。関節式レバーシステム１６は、支持体１５を家具（図示せず）の扉に接続させ、弾性的作動手段は、関節式レバーシステム１６に機能的に接続されて、当該レバーシステムに回転トルクを発生させる。
【００１３】
レバーシステム１６は更に、第１のレバー１７と第２のレバー１９とを含む。第１のレバー１７は、第１の回転軸１８を介して支持体１５に回転可能に接続されている一端を有する。第２のレバー１９は、第２の回転軸２０を中心に回転可能に固定要素２１に接続することができる一端を有する。固定要素２１は、当該家具の扉に適用することができる。
【００１４】
第１のレバー１７及び第２のレバー１９は更に、それぞれの他端において、中間回転軸２２を介して互いに関節連結されている。
【００１５】
レバーシステム１６に少なくとも開放方向に回転トルクを発生させるために、一般に、支持体１５と、第１のレバー１７におけるレバー１７の回転軸１８から一定の距離を離れて位置するポイントとの間に、弾性手段を接続することができる。そうすることによって、前述したトルクを発生させる弾性手段の力にレバーアームを規定することができる。
【００１６】
レバー１７の回動は、増大するレバーアームを形成し、当該増大するレバーアームは、弾性手段により与えられるトルクを、扉の開放移動においてその重量によって発生される反対のトルクに調整する。
【００１７】
本発明によれば、持ち上げシステム１０は、関節式レバーシステム１６のレバー１７とレバー１９のうちの少なくとも一方におけるカム手段を有し、このようなカム手段は、更なる一定のトルクを発生させるために、弾性的作動手段に適切に相互作用するように成形及び配置されている。当該更なる一定のトルクは、扉１３の持ち上げた位置において、扉の回動の少なくとも一部に沿って、レバーシステムの回転トルクに加えられる。レバーシステムの回転トルクは、前記便利に構成されたカム手段なしに、弾性手段により発生されたトルクである。
【００１８】
カム手段は、関節式レバーシステム１６の第１のレバー１７に接続された第１のカム要素２３を含み、第１の要素２３は、第１の軸方向に変形可能な弾性応力手段２４と相互作用する。弾性応力手段２４は、支持体１５と第１のレバー１７との間に配置され、第１のカム要素２３に機能的に接続されている。
【００１９】
好ましくは、第１のカム要素２３の位置は、例えば、調整ねじ３４によって調整することができる。
【００２０】
カム手段は、好適的に、第２のカム要素２５を含み、第２のカム要素２５は、関節式レバーシステム１６の第１のレバー１７又は第２のレバー１９のいずれか一方の一部分、例えば、中間回転軸２２におけるレバー１９の一部分である。第２のカム要素２５は、第２の軸方向に変形可能な弾性手段２６と相互作用する。弾性手段２６は、関節式レバーシステム１６の第１のレバー１７又は第２のレバー１９のいずれか他方に、例えば、第１のレバー１７に配置され、スライド又はローリング手段２７によって機能的に接続されている。スライド又はローリング手段２７は、第２の弾性手段２６が設けられたレバー１７によってスライドすることができるように支持されている。
【００２１】
第１の弾性手段２４は、第１の部分２８と第２の部分２９とを含み、第１の部分２８は、支持体１５に回転可能に接続され、第２の部分２９は、長手方向軸に沿ってスライドできるように第１の部分２８に接続されている。そして、第２の部分２９は、関節式レバーシステム１６の第１のレバー１７に接続され、第１のレバー１７におけるレバー１７の回転軸１８から離れたポイントでスライドすることができる。
【００２２】
好ましくは、螺旋状ばね３０の形態の少なくとも１つの軸方向に変形可能な弾性要素が、第１の部分２８と第２の部分２９との間に配置される。
【００２３】
更に、好ましくは、ローラ３１の形態のスライド又はローリング手段が設けられ、当該スライド又はローリング手段は、第２の部分２９に接続されており、第２の部分２９は、
第１のカム要素２３に作用するように成形及び配置されている。
【００２４】
好ましくは、第１の弾性手段２４の第２の部分２９とレバーシステム１６の第１のレバー１７との間の回転可能でスライド可能な接続は、旋回軸３２によって得られる。旋回軸３２は、第１のレバー１７と一体であり、より好ましくは、第１のカム要素２３は、回転軸１８から離れているレバー１７における前述したポイントに配置される。旋回軸３２は、第２の部分２９の端部に画定されたフォーク部３３内でスライド及び回転をすることができるように係合されている。当該フォーク部３３は、第１のレバー１７に向いている。
【００２５】
第２のカム要素２５は、第２の軸方向に変形可能な弾性手段２６と相互作用し、弾性手段２６は、関節式レバーシステムの他方のレバー、例えば、レバー１７に配置され、スライド又はローリング手段、例えば、ローラ２７によって、第２の弾性手段２６が設けられたレバー１７によってスライドすることができるように支持されている。
【００２６】
好ましくは、第２の弾性手段２６は、弾性手段を収容するための第１の部分と第２の部分３５とを含み、これらは、好ましくは、螺旋状ばね３６の形態である。
【００２７】
家具の扉を回動できるように支持するために、好ましくは、各持ち上げシステム１０はヒンジ３８を有し、そして、ヒンジ３８は、好ましくは、システムの支持体１５に接続することができる固定部分３９と、家具の扉に接続することができる固定要素２１と一致する可動部分と、少なくとも１つの第１の旋回軸４３、４４及び第２の旋回軸４５、４６のそれぞれを介して、固定部分３９を回動できるように可動部分に接続する少なくとも１つの第１アーム４１及び第２アーム４２とを含む。
【００２８】
代替的に、ヒンジ３８は別個の要素であって、ヒンジシステム１０に独立して家具に固定されてもよい。
【００２９】
本発明は、家具の閉じた扉を押すことによって扉を確実に開くことができるように、弾性的「初期開放」手段の存在を想定している。当該弾性的「初期開放」手段は、扉を開くための初期推力を提供する。
【００３０】
好適的に、全体として参照符号５０で示す弾性的「初期開放」手段は、持ち上げシステムの固定体１５に配置され、第２のレバー１９、すなわち、扉に固定することができるヒンジの可動部分又は箱に接続されたレバーに機能的に接続されている。
【００３１】
第２のレバー１９は、閉止位置において、より大きな回動角度をカバーし、そうして「初期開放」手段が最適に動作することを可能にするものである。
【００３２】
弾性的「初期開放」手段は、ばね５２を収容するための本体５１を備え、好ましくは、ばね５２は、例えば、偏心手段５３によって調節可能である。ばね５２は、好ましくは、
持ち上げシステム１０の固定体１５によってスライドできるように支持されたスライダ５５によって、第２のレバー１９に機能的に接続される。「初期開放」手段５０は、スライダ５５を介して、第２のレバー１９によって、特に、第２のレバー１９の旋回軸５４のスライダ５５に対する当接によって作動されるように適合されている。スライダ５５は、ばね５２に抗して作用する。ばね５２は、圧縮され、スライダ５５に、そして第２のレバー１９と一体の旋回軸５４に、後方への推力を発生することによって反作用する。
【００３３】
スライダ５５によって旋回軸５４に与えられる推力は、家具の扉に開く推力を提供することを可能にする。
【００３４】
扉を開くのに必要な力を減少させるために、第２のカム２５は、扉の閉止位置において、実質的に力を加えないように輪郭構成されている。
【００３５】
弾性手段２４は、レバー１７、１９のトグル構成のために、却って、扉の閉止位置において、常に閉じる力を加える。
【００３６】
いずれの場合においても、本発明に係る持ち上げシステムは、ユーザが扉に推力を与えること、及びその扉を開くための初期運動を可能にする弾性的「初期開放」手段の効果的な反作用を有することを可能にする。それによって、たとえ取っ手がなくても、ユーザは、扉の下縁部を持って、扉の初期運動に従って進むことによって手動で扉を最後まで開くことができる。
【００３７】
前述したことは、本発明に係るシステムの特定の構成によって達成可能である。本発明のシステムの特定の構成により、高い「初期開放」力を得ることができ、当該高い「初期開放」力は、第１の弾性手段２４により生じた前記閉じる力を克服することができる。
【００３８】
実際には、本発明に係る持ち上げシステムは、少なくとも１つの長手方向軸を中心に回動する扉用の持ち上げシステムを、「プッシュ（ｐｕｓｈ）」又はスラストタイプ（ｔｈｒｕｓｔ  ｔｙｐｅ）システムと組み合わせることを可能にすることが分かった。その中、扉の開放は、その扉に取っ手がない状態において、扉を押して弾性的初期開放手段５０を作動させることによって行われる。
【００３９】
このように考案されたシステムは、多数の修正及び変形が可能であり、それらの全ては添付の特許請求の範囲内に含まれる。
【００４０】
更に、全ての詳細は、他の技術的に同等の要素によって代替されてもよい。
【００４１】
実際に、使用される材料、並びに不特定な寸法及び形状は、要求及び技術水準に応じて任意に採用されてもよい。
【００４２】
本出願は、イタリア特許出願第１０２０１６００００８３２６３号（ＵＡ２０１６Ａ００５９８０）の開示に基づいて優先権を主張し、その全体の内容が参照により本明細書に組み込まれる。
【００４３】
特許請求の範囲に記載された技術的特徴の後に参照符号が付されている場合、それらの参照符号は、特許請求の範囲の明瞭性を高めるためのみに含まれている。したがって、そのような参照符号は、例としてそのような参照符号によって識別される各要素の解釈にいかなる限定的な影響も及ぼさないものである。
【図１】
2019525040.tif 000003
【図２】
2019525040.tif 000004
【図３】
2019525040.tif 000005
【図４】
2019525040.tif 000006
【国際調査報告】
2019525040.tif 000007
2019525040.tif 000008
2019525040.tif 000009